(57)【要約】【課題】構成要素が簡素で原材料使用量が少ないため低コストであり、かつ物品を強固に固定することができるカートンを提供する。【解決手段】２列に配置された物品の頂部を把持する頂部把持型カートンであって、２列の物品の頂部を各々が１列ずつ係合する１対の頂部係合構造と、１対の頂部係合構造の一方に接続された上層頂壁パネルと、１対の頂部係合構造の他方に接続され、上層頂壁パネルの下に重なって一対の頂部係合構造を互いに連結する下層頂壁パネルと、下層頂壁パネルに折り曲げ自在に接続された物品頂部支持パネルとを備え、物品頂部支持パネルは、一方の頂部係合構造の中に延在して２列の物品の一方の列の物品頂部の下端に係合し、この物品頂部支持パネルの係合により物品の配列を補強することを特徴とする。【選択図】図１
0003122685.tif 000002
【実用新案登録請求の範囲】
【請求項１】
２列に配置された物品の頂部を把持する頂部把持型カートンであって、
上記２列の物品の頂部を各々が１列ずつ係合する１対の頂部係合構造と、
上記１対の頂部係合構造の一方に接続された上層頂壁パネルと、
上記１対の頂部係合構造の他方に接続され、上記上層頂壁パネルの下に重なって上記一対の頂部係合構造を互いに連結する下層頂壁パネルと、
上記下層頂壁パネルに折り曲げ自在に接続された物品頂部支持パネルとを備え、
上記物品頂部支持パネルは、上記一方の頂部係合構造の中に延在して上記２列の物品の一方の列の物品頂部の下端に係合し、この物品頂部支持パネルの係合により物品の配列を補強することを特徴とする頂部把持型カートン。
【請求項２】
上記上層頂壁パネルに折り曲げ自在に接続された第２物品頂部支持パネルを備え、
上記第２物品頂部支持パネルは、上記他方の頂部係合構造の外に延在して上記２列の物品の他方の列の物品頂部の下端に係合することを特徴とする請求項１に記載の頂部把持型カートン。
【請求項３】
２列に配置された物品の頂部を把持する頂部把持型カートンであって、
上記２列の物品の周囲を取り囲む筒状構造と、
上記２列の物品の頂部を各々が１列ずつ係合する１対の頂部係合構造と、
上記１対の頂部係合構造の各々に折り曲げ自在に接続され、互いに重なり合って上記１対の頂部係合構造を互いに連結する１対の上層および下層頂壁パネルとを備え、
上記頂部係合構造の各々は１対の内側および外側傾斜パネルを備え、上記内側および外側傾斜パネルはそれらの上縁に沿って互いに折り曲げ自在に連結され、
上記上層および下層頂壁パネルは上記１対の頂部係合構造の内側傾斜パネルの下縁に各々折り曲げ自在に接続され、
上記筒状構造は上記１対の頂部係合構造の外側傾斜パネルの下縁に折り曲げ自在に接続されていることを特徴とする頂部把持型カートン。
【請求項４】
上記筒状構造は対向する１対の側壁パネルを備え、これら側壁パネルの上縁が上記１対の頂部係合構造の外側傾斜パネルに各々折り曲げ自在に接続されていることを特徴とすることを特徴とする請求項３に記載の頂部把持型カートン。
【考案の詳細な説明】
【技術分野】
【０００１】
本考案は、物品を収容するカートンに係り、特に、組み立てが容易で、物品を強固に保持することができ、かつ原材料コストを大幅に削減することができるカートンに関する。
【背景技術】
【０００２】
従来より、ソフトドリンク等の飲料用缶類、瓶類等の物品を複数収容して流通や消費者の使用に供されるカートンが提供されている。消費者は、そのような物品をカートン単位で購入した際には、カートンの頂部に形成された把持手段によってカートンを持ち運び、物品を取り出す際は、カートンを破壊して物品を取り出している。
【０００３】
一般に、物品を収容するカートンには、頂壁パネル、底壁パネルおよび前後左右の側壁パネルからなる箱状のカートンや、箱状カートンの一部が切り抜かれて窓部を有することで内容物が確認できるカートンや、また、頂壁パネル、底壁パネルおよび一対の側壁パネルを備えて、前端と後端が開放された筒状構造を有し、内容物を確認することができるいわゆるラウンドアップカートンが知られている。さらに、ラウンドアップカートンの開口部に物品の脱落防止のために部分的に閉鎖構造（側壁パネル）を有するカートンや、物品の頂部のみを覆って把持するカートン等、数多くのカートンが知られている。これらカートンには、頂壁パネルの一端あるいは頂壁パネルの一部に把持部を有するものもあり、これによって持ち運びや陳列に供している。
【０００４】
ラウンドアップカートンの開口部に閉鎖構造を有するカートンや箱状カートン等の物品を覆う面積の大きなカートンは、物品を強固に保持することができ、強度の観点からは好ましいものの、カートンを構成するパネル数が多くてカートン材料の使用量が多く、原料コストが増大するという問題を有していた。一方、閉鎖構造を有さないラウンドアップカートンや物品の頂部のみを把持するカートン等は、構造が簡素で低コストである反面、強度に問題を有しており、使用中にカートンが破断して物品が脱落し易いという問題があった。
【０００５】
このように、コストと組み立ての容易性と強度を両立させるために、従来数多くのカートンが提案されてきた。そのような例として、２列に配列した瓶の頂部を覆い、瓶のキャップ部の凸部にカートンを係合させて把持するボトルキャリアが開示されている（例えば、特許文献１および２参照）。しかしながら、これらのカートンでは、キャップの凸部にカートンを係合させているのみであるので、運搬中の振動等によって係合が容易に外れ、瓶が脱落するおそれがあった。
【０００６】
また、同じく２列に配列した瓶の頂部を覆い、瓶のキャップ部の凸部にカートンを係合させて把持するボトルキャリアであって、２列の瓶を覆ってキャップの凸部とカートンを係合させた後、カートンの折り返しによって生じさせた余剰のカートン端部をさらに一方の列のキャップの下端に係合させて把持を支持するカートンが開示されている（例えば、特許文献３参照）。しかしながら、このカートンでは、カートン端部によって付加的に支持された列の保持力は強化されているものの、他方の列の物品に関しては支持されておらず、脱落するおそれがあった。
【０００７】
さらに、複数の瓶の周囲を取り囲む側壁パネルを備え、この側壁パネルの対向する１対にそれぞれ頂壁パネルを設け、この頂壁パネルの瓶キャップ部が貫通する箇所に孔部および係合部を設けたボトルキャリアが開示されている（例えば、特許文献４参照）。このキャリアによれば、保持強度は改善されているものの、パネル点数が多くて原材料使用量の問題は解決されていない。
【０００８】
【特許文献１】米国特許第４，３２６，６２８号
【特許文献２】米国特許第４，１９２，５４０号
【特許文献３】米国特許第３，７６７，０４１号
【特許文献４】米国特許第５，４８７，４６３号
【考案の開示】
【考案が解決しようとする課題】
【０００９】
このように、従来のカートンでは、原材料使用量の問題または保持強度の問題のみに特化して改善したカートンは数多く開示されているものの、低コスト化および保持強度を両立させ得るカートンは得られていない状況であった。
【００１０】
本考案は、上記状況に鑑みてなされたものであり、構成要素が簡素で原材料使用量が少ないため低コストであり、かつ物品を強固に固定することができるカートンを提供することを目的としている。
【課題を解決するための手段】
【００１１】
本考案は、２列に配置された物品の頂部を把持する頂部把持型カートンであって、２列の物品の頂部を各々が１列ずつ係合する１対の頂部係合構造と、１対の頂部係合構造の一方に接続された上層頂壁パネルと、１対の頂部係合構造の他方に接続され、上層頂壁パネルの下に重なって１対の頂部係合構造を互いに連結する下層頂壁パネルと、下層頂壁パネルに折り曲げ自在に接続された物品頂部支持パネルとを備え、物品頂部支持パネルは、一方の頂部係合構造の中に延在して２列の物品の一方の列の物品頂部の下端に係合し、この物品頂部支持パネルの係合により物品の配列を補強することを特徴としている。
【００１２】
上記構成の本考案のカートンにあっては、下方に位置する下層頂壁パネルに接続された物品頂部支持パネルが１列の物品頂部下端に係合しているので、収容された物品の脱落を抑制することができる。また、下方の物品頂部支持パネルは、折り曲げられたことによる自身の復元力と上層頂壁パネルの重なりによって物品への係合が支持されており、これにより物品の保持をより強固にし、脱落を防止することができる。さらに、収容物品の頂部のみを把持する構造であるので、カートン原材料の使用量が低減でき、カートンブランクの切り抜き構造も矩形状で簡素であるので、資源の有効利用の観点から効果的である。
【００１３】
本考案では、上記構成のカートンにおいて、上層頂壁パネルに折り曲げ自在に接続された第２物品頂部支持パネルを備え、第２物品頂部支持パネルが他方の頂部係合構造の外に延在して上記２列の物品の他方の列の物品頂部の下端に係合することを好ましい態様としている。
【００１４】
上記態様のカートンにあっては、上述の下方に位置する下層頂壁パネルに接続された物品頂部支持パネルに加えて、上方に位置する上層頂壁パネルに接続された第２物品頂部支持パネルがさらに他方１列の物品頂部下端に係合しているので、収容された物品の脱落を抑制することができる。また、上述のように、下方の物品頂部支持パネルは、折り曲げられたことによる自身の復元力と上層頂壁パネルの重なりによって物品への係合が支持されているが、さらにこの態様では、上方の物品頂部支持パネルも、折り曲げられたことによる自身の復元力と下層頂壁パネルの重なりによって物品への係合が支持されており、これにより物品の保持をより強固にし、脱落を防止することができる。
【００１５】
さらに、本考案は、２列に配置された物品の頂部を把持する頂部把持型カートンであって、２列の物品の周囲を取り囲む筒状構造と、２列の物品の頂部を各々が１列ずつ係合する１対の頂部係合構造と、１対の頂部係合構造の各々に折り曲げ自在に接続され、互いに重なり合って１対の頂部係合構造を互いに連結する１対の上層および下層頂壁パネルとを備え、頂部係合構造の各々は１対の内側および外側傾斜パネルを備え、内側および外側傾斜パネルはそれらの上縁に沿って互いに折り曲げ自在に連結され、上層および下層頂壁パネルは１対の頂部係合構造の内側傾斜パネルの下縁に各々折り曲げ自在に接続され、筒状構造は１対の頂部係合構造の外側傾斜パネルの下縁に折り曲げ自在に接続されていることを特徴としている。
【００１６】
上記構成の本考案のカートンにあっては、上述の態様と同様の頂部係合構造によって物品の頂部を固定し、さらに、頂部係合構造に接続された筒状構造によって物品本体（物品下部）の水平方向への動きを抑制することができ、これにより物品の脱落を防止することができる。
【考案を実施するための最良の形態】
【００１７】
以下、本考案の実施形態について図面を参照しながら説明する。なお、以下の説明では、瓶等の物品を２個×２列で収納するカートンおよびカートンブランクを例示しているが、本考案は、物品を２列に配列した形態であれば、１列当たりの物品個数は特に限定されないので、以下に説明する形態のカートンおよびカートンブランクは本考案の一例である。
【００１８】
Ａ．第１実施形態
図１には、物品を収容するためのカートンを形成するためのものであって、ボール紙またはそれに類する折り曲げ自在なシート材から作製されたブランク１ａが示されている。図１において、ブランク１ａは、物品頂部支持パネル１０と、下層頂壁パネル１１と、頂部係合構造Ａ（パネル１２および１３からなる）と、底壁パネル１４と、頂部係合構造Ｂ（パネル１５および１６からなる）と、上層頂壁パネル１７と、第２物品頂部支持パネル１８とを備え、これらは折目線２０〜２７によって折り曲げ自在に連続的に接続されている。これらパネルを折り曲げることによって、瓶等の物品の頂部を把持するカートンが形成される。
【００１９】
底壁パネル１４には、カートンブランクの打ち抜きによって物品保持孔部３２が形成されており、頂部係合構造ＡおよびＢにも、カートンブランクの打ち抜きによって同じく物品保持孔部３１および３４が形成されている。後述する物品の収容時には、物品の頂部をこれら物品保持孔部に貫通させる。
【００２０】
下層頂壁パネル１１および底壁パネル１４には、カートンブランクの打ち抜きによって孔部３０および３３がそれぞれ形成されており、上層頂壁パネル１７には、カートンブランクへの切り込み線によって、２つのフラップからなる固定手段３５が形成されている。これら２つのフラップは、上層頂壁パネル１７に折り曲げ自在に連続的に接続されている。後述する物品の収容時には、下層頂壁パネル１１、底壁パネル１４および上層頂壁パネル１７を重ね合わせることによって孔部３０、３３および固定手段３５を重ね合わせ、固定手段３５を押圧して２つのフラップを孔部３０および３３に挿入することによって下層頂壁パネル１１、底壁パネル１４および上層頂壁パネル１７を接合し、ひいてはカートンの把持構造を固定する。また、固定手段３５が挿入された孔部３０および３３は、カートンの持ち運び時には指を挿入する把持部としても機能する。
【００２１】
図１に示すブランク１ａからカートンを組み立てるために、連続的な折り曲げ作業が行われる。折り曲げ作業は、直線状の機械ラインでブランクないしカートンを反転または回転させることなく行われる。また、機械ラインではなく手作業で組み立てる場合も同様である。以下はその手順を示すものであるが、本考案は以下の例に限定されるものではない。
【００２２】
まず、収容される瓶等の物品を２個×２列に水平に置く。次に、物品の頂部、ここでは瓶のキャップ部が底壁パネル１４の物品保持孔部３２を貫通するようにカートン１ａを物品上に載せる。折目線２３に沿ってパネル１０〜１３を上方に折り曲げ、物品の頂部を物品保持孔部３１に貫通させるように折目線２２に沿ってパネル１０〜１２をカートン内方へ折り曲げつつ、折目線２１および２０に沿って物品頂部支持パネル１０および下層頂壁パネル１１をカートン外方へ折り曲げ、下層頂壁パネル１１を底壁パネル１４に密着させる。この時、下層頂壁パネル１１の孔部３０と底壁パネル１４の孔部３３が重なるようにする。また、物品頂部固定パネル１０は、物品頂部の下端に係合している。
【００２３】
続いて、折目線２４に沿ってパネル１５〜１８を上方に折り曲げ、物品の頂部を物品保持孔部３４に貫通させるように折目線２５に沿ってパネル１６〜１８をカートン内方へ折り曲げつつ、折目線２６および２７に沿って第２物品頂部支持パネル１８および上層頂壁パネル１７をカートン外方へ折り曲げ、上層頂壁パネル１７を下層頂壁パネル１１に密着させる。この時、上層頂壁パネル１７の固定手段３５と下層頂壁パネル１１の孔部３０が重なるようにする。さらに、上層頂壁パネル１７に形成された固定手段３５をカートン内方へ押圧して下層頂壁パネル１１の孔部３０および底壁パネル１４の孔部３３に係合させることによって、これら３つのパネルを一体化させている。また、第２物品頂部固定パネル１８は、物品頂部の下端に係合している。こうして、図３に示すパッケージが完成する。このパッケージの把持・運搬に際しては、固定手段３５を押圧することによってできた孔部に指を挿入することによって行う。
【００２４】
図５は、このような物品を把持したカートンを側方から見た模式図であるが、図５に示すように、パネル１２および１３は、物品頂部に係合して保持する物品係合構造Ａを構成し、物品頂部支持パネル１０は、物品係合構造Ａが固定する物品列に隣接する列の物品の頂部の下端に係合して、これらを固定し、脱落を抑制している。また、パネル１５および１６は、物品頂部に係合して保持する物品係合構造Ｂを構成し、第２物品頂部支持パネル１８は、物品係合構造Ａが固定する物品頂部の下端に係合して、これらを固定し、脱落を抑制している。
【００２５】
さらに、本実施形態では、上層頂壁パネル１７に形成された固定手段３５を上方から下方へ押圧することによって下層頂壁パネル１１の孔部３０および底壁パネル１４の孔部３３に係合させることによって、これら３つのパネルを一体化させている。したがって、物品頂部支持パネル１０は、物品係合構造Ｂからの押圧および折目線２０に沿った折り曲げに対する自身の復元力によって、物品頂部の下端から外れることなくより強力に物品頂部の下端を係合固定することができ、また、第２物品頂部支持パネル１８は、固定手段３５による上層頂壁パネル１７と他のパネルとの一体化および折目線２７に沿った折り曲げに対する自身の復元力によって、物品頂部の下端から外れることなくより強力に物品頂部の下端を係合固定することができる。
【００２６】
このように、本実施形態では、物品の全体を包むための大きな面積を有するカートンと比較して、はるかに小さい面積を有するカートンによって物品を収容することができ、カートン製造の低コスト化に寄与する。また、カートンブランクの形状は単純な矩形状であり、カートンブランクの製造時においてカートン材の廃棄部分がほとんど無く、資源の有効利用の観点からも好ましい。さらに、上述したように、運搬時等にカートンから物品が脱落することを抑制する強固な保持構造を有する。
【００２７】
Ｂ．第２実施形態
本考案の他の実施形態のカートンブランク１ｂを図２に示す。このカートンブランク１ｂと１ａの基本的な相違点は、カートン１ａが底壁パネル１４に設けられた孔部３２によって物品が離散しないように束ねているのに対し、カートン１ｂでは、収容する物品を取り巻く側壁によって物品を束ねている点である。以下、カートン１ｂについて詳細に説明する。
【００２８】
図２には、物品を収容するためのカートンを形成するためのものであって、ボール紙またはそれに類する折り曲げ自在なシート材から作製されたブランク１ｂが示されている。図２において、ブランク１ｂは、糊付けパネル５０と、側壁パネル５１〜５８とを備え、これらは折目線７１〜７４によって折り曲げ自在に連続的に接続されている。これらパネルを折り曲げることによって、収容する物品の周囲を取り囲む筒状構造が形成される。
【００２９】
側壁パネル５２の上方（図２において左側）には、折目線６３を介して頂部係合構造Ａ（内側傾斜パネル４２および外側傾斜パネル４３からなる）が折り曲げ自在に連続的に接続されており、さらに、折目線６１および６０を介して下層頂壁パネル４１と、物品頂部支持パネル４０とが折り曲げ自在に連続的に接続されている。また、側壁パネル５６の上方（図２において左側）には、折目線６４を介して頂部係合構造Ｂ（外側傾斜パネル４４および内側傾斜パネル４５からなる）が折り曲げ自在に連続的に接続されており、さらに、折目線６６および６７を介して上層頂壁パネル４６と、第２物品頂部支持パネル４７とが折り曲げ自在に連続的に接続されている。これらパネルを折り曲げることによって、瓶等の物品の頂部を把持するカートンが形成される。
【００３０】
頂部係合構造ＡおよびＢには、カートンブランクの打ち抜きによって物品保持孔部９１および９２が形成されている。後述する物品の収容時には、物品の頂部をこれら物品保持孔部に貫通させる。
【００３１】
下層頂壁パネル４１には、カートンブランクの打ち抜きによって孔部９０が形成されており、上層頂壁パネル４６には、カートンブランクへの切り込み線によって、２つのフラップからなる固定手段９３が形成されている。これら２つのフラップは、上層頂壁パネル４６に折り曲げ自在に連続的に接続されている。後述する物品の収容時には、下層頂壁パネル４１および上層頂壁パネル４６を重ね合わせることによって孔部９０および固定手段９３を重ね合わせ、固定手段９３を押圧して２つのフラップを孔部９０に挿入することによって下層頂壁パネル４１および上層頂壁パネル４６を接合し、ひいてはカートンの把持構造を固定する。また、固定手段９３が挿入された孔部９０は、カートンの持ち運び時には指を挿入する把持部としても機能する。
【００３２】
次に、図２に示すブランク１ｂからカートンを組み立てるために、連続的な折り曲げ作業が行われる。以下はその手順を示すものである。まず、折目線７１〜７４に沿って糊付けパネル５０および側壁パネル５１〜５８を折り曲げ、糊付けパネル５０に接着剤を塗布して糊付けパネル５０と側壁パネル５８を接合し、筒状構造を形成する。なお、本実施例では筒状構造の形成にあたって糊付けパネルによって接合を行っているが、本考案はこの形態に限定されるものではなく、例えば両端にそれぞれフラップおよびフラップ受容スリットを形成し、フラップを受容スリットに挿入して接合を行うなど、任意の接合手段を用いることができる。続いて、収容される瓶等の物品を２個×２列に水平に置き、筒状構造のうち他のパネル類が形成されている側を上方に、形成されていない側を下方にして、物品の上方から被せる。
【００３３】
折目線６３および６２に沿ってパネル４０〜４３をカートン内方へ折り曲げつつ物品の頂部を物品保持孔部９１に貫通させ、折目線６１および６０に沿って物品頂部支持パネル４０および下層頂壁パネル４１をカートン外方へ折り曲げ、下層頂壁パネル４１を水平になるようにする。この時、物品頂部固定パネル４０は、物品保持孔部９１に貫通させた物品列に隣接する物品列の頂部の下端に係合している。続いて、折目線６４および６５に沿ってパネル４４〜４７をカートン内方へ折り曲げつつ物品の頂部を物品保持孔部９２に貫通させ、折目線６６および６７に沿って第２物品頂部支持パネル４７および上層頂壁パネル４６をカートン外方へ折り曲げ、上層頂壁パネル４６を下層頂壁パネル４１に重ねることによって下層頂壁パネル４１に形成された孔部９０と、上層頂壁パネル４６に形成された固定手段９３を重ね合わせる。この時、第２物品頂部固定パネル４７は、物品保持孔部９１に貫通させた物品列の頂部の下端に係合している。
【００３４】
上層頂壁パネル４６に形成された固定手段９３をカートン内方へ押圧して下層頂壁パネル４１の孔部９０に係合させることによって、これら２つのパネルを一体化させる。こうして、図４に示すパッケージが完成する。このパッケージの把持・運搬に際しては、固定手段３５を押圧することによってできた孔部に指を挿入することによって行う。また、カートン１ｂの開封に際しては、側壁パネルに形成された破断起点部８１および／または８３を把持し、ジッパー８０および／または８２を破断させることによって行うことができる。
【００３５】
カートン１ａの項で図５を参照して説明したのと同様に、パネル４２および４３は、物品頂部に係合して保持する物品係合構造Ａを構成し、物品頂部支持パネル４０は、物品係合構造Ａが固定する物品列に隣接する列の物品の頂部の下端に係合して、これらを固定し、脱落を抑制している。また、パネル４４および４５は、物品頂部に係合して保持する物品係合構造Ｂを構成し、第２物品頂部支持パネル４７は、物品係合構造Ａが固定する物品頂部の下端に係合して、これらを固定し、脱落を抑制している。
【００３６】
また、本実施形態では、上層頂壁パネル４６に形成された固定手段９３を上方から下方へ押圧することによって下層頂壁パネル４１の孔部９０に係合させることによって、これら２つのパネルを一体化させている。したがって、物品頂部支持パネル４０は、物品係合構造Ｂからの押圧および折目線６０に沿った折り曲げに対する自身の復元力によって、物品頂部の下端から外れることなくより強力に物品頂部の下端を係合固定することができ、また、第２物品頂部支持パネル４７は、固定手段９３による上層頂壁パネル４６と下層頂壁パネル４１との一体化および折目線６７に沿った折り曲げに対する自身の復元力によって、物品頂部の下端から外れることなくより強力に物品頂部の下端を係合固定することができる。
【００３７】
このように、本実施形態においても、物品の全体を包むための大きな面積を有するカートンと比較して、はるかに小さい面積を有するカートンによって物品を収容することができ、カートン製造の低コスト化に寄与し、かつ運搬時等にカートンから物品が脱落することを抑制する強固な保持構造を有する。
【００３８】
以上、本考案の具体的な実施形態を説明したが、本考案はこれらのみに限定されるものではなく、例えば３個以上の物品を２列に配列した物品列や、逆に２個（１個×２列とみなす）の物品を保持するカートンに適用することが可能である。
【００３９】
上記の説明で使用した頂、底、端、上、下、側、内側および外側などの方向を表わす用語は、それぞれのパネルをそのような方向に限定するものではなく、単にパネルどうしを互いに区別するためのものにすぎない。折目線という用語は必ずしも単一の折目線を指すものではなく、本考案の範囲を逸脱しない限りにおいて、１または複数の刻み線や、例えばミシン目やプレス型押しで薄くした線等の容易に折れたり曲がったりする線であっても良い。また、本考案は、考案の範囲から逸脱することなく、種々の配列の物品のカートンに適用することができる。
【産業上の利用可能性】
【００４０】
以上説明したように、本考案によれば、原材料の使用量が少なく、強固に物品を保持することができるカートンおよびカートンブランクを提供することができる。
【図面の簡単な説明】
【００４１】
【図１】本考案の一実施形態のカートンブランクを示す平面図である。
【図２】本考案の他の実施形態におけるカートンブランクの平面図である。
【図３】図１のカートンブランクを組み立てたパッケージの斜視図である。
【図４】図２のカートンブランクを組み立てたパッケージの斜視図である。
【図５】図３のパッケージを側方から見た模式図である。
【符号の説明】
【００４２】
１ａ，１ｂ  カートン（ブランク）
１０        物品頂部支持パネル
１１        下層頂壁パネル
１２        内側傾斜パネル（頂部係合構造Ａの構成パネル）
１３        外側傾斜パネル（頂部係合構造Ａの構成パネル）
１４        底壁パネル
１５        外側傾斜パネル（頂部係合構造Ｂの構成パネル）
１６        内側傾斜パネル（頂部係合構造Ｂの構成パネル）
１７        上層頂壁パネル
１８        第２物品頂部支持パネル
２０〜２７  折目線
３０，３３  孔部
３１，３２，３４  物品保持孔部
３５        固定手段
４０        物品頂部支持パネル
４１        下層頂壁パネル
４２        内側傾斜パネル（頂部係合構造Ａの構成パネル）
４３        外側傾斜パネル（頂部係合構造Ａの構成パネル）
４４        外側傾斜パネル（頂部係合構造Ｂの構成パネル）
４５        内側傾斜パネル（頂部係合構造Ｂの構成パネル）
４６        上層頂壁パネル
４７        第２物品頂部支持パネル
５０        糊付けパネル
５１〜５８  側壁パネル
６０〜７４  折目線
８０，８２  ジッパー
８１，８３  破断起点部
９０        孔部
９１，９２  物品保持孔部
９３        固定手段
Ａ，Ｂ      頂部係合構造
Ｃ          物品頂部
Ｏ          物品
【図１】
0003122685.tif 000003
【図２】
0003122685.tif 000004
【図３】
0003122685.tif 000005
【図４】
0003122685.tif 000006
【図５】
0003122685.tif 000007